(57)【特許請求の範囲】
【請求項１】
カメラボディに対して交換レンズが装着可能であり、
前記カメラボディと前記交換レンズとの間で通信を行うカメラシステムにおいて、
前記カメラボディは交換レンズへ、
手ブレ補正制御開始を命令するための補正開始信号を送信し、
手ブレ補正制御終了を命令するための補正終了信号を送信し、
前記交換レンズは、レンズ光学系の一部のレンズ又はレンズ群を補正光学系とし、
前記補正光学系は、無通電にて重力方向の壁面に接しており、
前記補正光学系を含みマグネット若しくはコイルが設置される可動部材は、駆動部のコイルに電流が供給されることで発生する電磁力により駆動され、
撮影者等による前記カメラシステムのブレ量及び前記補正光学系の現在位置を検知し、前記ブレ量から演算された前記補正光学系の目標位置と前記補正光学系の現在位置との差分をキャンセルさせるように前記補正光学系を光軸と垂直な平面内で移動させることで、
手ブレ補正制御を行う光学式手ブレ補正機構を有し、
前記カメラボディは、
前記カメラボディの電源ボタンが操作された後であって、
前記カメラボディが交換レンズへ前記補正開始信号を送信する前に、
前記交換レンズへ中心保持信号を送信し、
前記交換レンズは、前記中心保持信号を前記カメラボディより受信した後、
前記補正光学系の光軸と前記レンズ光学系の光軸とが一致するように中心保持制御を開始する、ことを特徴とするカメラシステム。
【請求項２】
請求項1に記載のカメラシステムを構成するカメラボディであって、
前記カメラボディの電源ボタンが操作された後、
中心保持信号を交換レンズへ送信し、
さらに、撮影者により前記カメラボディのレリーズボタンがレリーズ半押し状態にされた後、交換レンズへ手ブレ補正制御開始を命令するための補正開始信号を送信し、
さらに、撮影者により前記カメラボディのレリーズボタンがレリーズ全押し状態にされ、一連の撮影動作が完了した後、又は、レリーズボタンがレリーズ全押し状態にされず所定時間経過した後、前記交換レンズへ手ブレ補正制御終了を命令するための補正終了信号を送信する、
ことを特徴とするカメラボディ。
【請求項３】
請求項1に記載のカメラシステムを構成する交換レンズであって、
カメラボディから中心保持信号を受信した後、補正光学系の光軸とレンズ光学系の光軸とが一致するように中心保持制御を開始し、
さらに、前記カメラボディから補正開始信号を受信した後、中心保持制御を停止して手ブレ補正制御を開始し、
さらに、前記カメラボディから補正終了信号を受信した後、手ブレ補正制御を終了する、
ことを特徴とする交換レンズ。
【請求項４】
前記カメラボディから補正終了信号を受信し、手ブレ補正制御を終了した後、
所定時間の間、中心保持制御を行うことを特徴とする請求項３に記載の交換レンズ。
【請求項５】
請求項１に記載のカメラシステムを構成する交換レンズに内蔵された手ブレ補正ユニットであって、
補正光学系と、補正光学系の駆動手段と、ブレ量検知手段と、補正光学系位置検知手段とを有し、
前記交換レンズが、カメラボディから中心保持信号を受信するに従って、前記補正光学系の光軸と前記交換レンズのレンズ光学系の光軸とが一致するように、前記補正光学系の駆動手段を駆動し、
前記交換レンズが、前記カメラボディから補正開始信号を受信するに従って、前記ブレ量検知手段により検知された撮影者等による前記カメラシステムのブレ量と前記補正光学系位置検知手段により検知された前記補正光学系の現在位置を演算し、
前記ブレ量から演算された前記補正光学系の目標位置と前記補正光学系の現在位置との差分をキャンセルさせるように、前記補正光学系の駆動手段により前記補正光学系を光軸に垂直な平面内で駆動させることを特徴とする手ブレ補正ユニット。
【発明の詳細な説明】
【技術分野】
【０００１】
本発明は、スチルカメラやビデオカメラにおけるレンズ全系の一部のレンズ又はレンズ群をレンズ全系の光軸に垂直な平面内で移動させることにより、像面での結像位置をシフトさせ、撮影者の手ブレ等による結像位置の変位を補正する光学式手ブレ補正技術に関し、特にレンズ交換可能なカメラシステムに採用される光学式手ブレ補正技術に関する。
【背景技術】
【０００２】
従来、撮影者の撮影時における手ブレ等により、ブレのある画像が撮影されてしまうことを防止するための手ブレ補正技術が開発され、手ブレ補正技術が実装された撮影装置が多く普及している。
【０００３】
撮影者による手ブレは、カメラを三脚等に固定していない限り、通常発生しているものであり、特にスチルカメラの場合、高速なシャッタ速度で撮影する場合には撮影画像に対する手ブレ等の影響は少ないが、低速なシャッタ速度で撮影する場合には撮影画像に対する手ブレ等の影響は顕著となる。
【０００４】
例えば高速なシャッタ速度で撮影するための十分な露光量を得ることが困難な光量の少ない環境下では、低速なシャッタ速度で撮影しなければ適正露出の画像を撮影することができない状況がある。
【０００５】
低速なシャッタ速度で撮影する場合には、露光時間が長くなるため、撮影している間に手ブレ等が発生すると、撮影開始直後と撮影終了直前とで結像位置が変化してしまい、結果としてブレのある画像が撮影されやすい。すなわち、手ブレ等の影響を受けた失敗写真が撮影されてしまうおそれが大きい。
【０００６】
これに対して、従来、手ブレ等による撮影画像への影響を少なくするため、既にいくつかのタイプの手ブレ補正技術が発明されている。
【０００７】
手ブレ補正技術の主流なタイプとして、レンズ光学系における一部のレンズ若しくはレンズ群を、光軸に垂直な平面内で移動させることにより結像位置をシフトさせ、結像位置の変位を補正する光学式手ブレ補正技術と、撮像素子を光軸に垂直な平面内で移動させることで結像面をシフトさせ、結像位置の変位を補正する撮像素子シフト式手ブレ補正技術がある。
【０００８】
光学式手ブレ補正技術では、カメラのレリーズボタン半押しを制御開始の合図として、ブレ量を検知し、レンズ光学系の一部のレンズ若しくはレンズ群を、検知したブレ量がキャンセルされるように光軸に垂直な平面内においてシフトさせる。
撮影者の手ブレ等により発生してしまった結像位置の変位は、シフトされたレンズ光学系の一部のレンズ若しくはレンズ群が、像面における結像位置をシフトさせることによりキャンセルされる。したがって、手ブレ補正制御が機能している間に撮影を行えば、撮影者等による手ブレの影響がキャンセルされた画像を撮影することが可能である。
【０００９】
撮像素子シフト式手ブレ補正技術では、カメラのレリーズボタン全押しを制御開始の合図として、ブレ量を検知し、検知したブレ量をキャンセルするように撮像素子を光軸に垂直な平面内においてシフトさせる。
撮影者の手ブレ等により発生してしまった結像位置の変位は、撮像素子がレンズ光学系に対する像に追随するようにシフトすることでキャンセルされる。すなわち、撮影時に撮像素子をシフトさせることにより、手ブレによる影響がキャンセルされた画像を撮影することが可能である。
【００１０】
光学式手ブレ補正技術は、撮影者がレリーズボタンを半押ししてからしばらくの間、レンズ光学系の一部を光軸に垂直な平面内においてシフトさせ続けることが可能であり、手ブレ補正機能は撮影動作をするしないによらず機能する。
したがって、撮影者は、ファインダやライブビューを通してブレが補正された被写体を観察できるメリットがある。
すなわち、撮影者は、手ブレ等による影響がキャンセルされた状態で、撮影の構図を決定することが可能である。
【００１１】
一方、撮像素子シフト式手ブレ補正技術では、特にレンズ交換可能なレンズ交換式カメラシステムにおいて、交換レンズそれぞれに手ブレ補正機構を搭載する必要がないため、カメラシステム全体としてコスト的に優位である。
【００１２】
手ブレ補正技術は、上記のように根本的なシステムに着目してタイプ分けするとそれほど多くはないが、手ブレ補正技術を取り巻く様々な課題を解決するため、多くの周辺技術が発明されている。
【００１３】
特許文献１（特許３１９２４１４号公報）には、光学式手ブレ補正技術の周辺技術として補正光学系の固定手段が記載されている。
【００１４】
特許文献１では、補正光学系が非制御時に自由に移動してしまう光学式手ブレ補正機構の問題点を指摘し、解決手段を提示している。
【００１５】
光学式手ブレ補正技術では、補正光学系を含む可動部材に対する制御がなくなる、すなわち光学式手ブレ補正機構に対して電源が供給されなくなると、補正光学系はレンズ鏡筒内で重力や慣性により自由に移動してしまう。そのため、レンズ鏡筒が持ち運び時等に振動されると、補正光学系は、その可動端の壁面に衝突を繰り返すこととなり、可動端の壁面を破損させるおそれがある。
この課題を解決するため、引用文献１に記載の発明では、カメラボディの電源オフに応答して、補正光学系の光軸が光学系の光軸に一致するように可動中心位置に補正光学系を固定する固定手段を、像振れ防止装置に追加した。
これにより、補正光学系は、交換レンズに電源供給が無い状態であっても、レンズ鏡筒内で光学系の光軸に一致する可動中心位置に物理的に固定されるため、持ち運び時等に補正光学系を含む可動部材が可動端の壁面を破損させてしまうおそれはない。
【先行技術文献】
【特許文献】
【００１６】
【特許文献１】特許３１９２４１４号公報
【発明の概要】
【発明が解決しようとする課題】
【００１７】
しかしながら、引用文献１に記載の像振れ防止装置では、持ち運び時等において補正光学系を含む可動部材が可動端を破損させてしまうことを防止できる効果があるものの、カメラシステムの電源オフからの復帰時、すなわちスリープ解除時に、固定手段を解除する動作が必要となるため、スリープ解除から撮影開始までの時間において、固定手段の無い像振れ防止装置に比べタイムラグが生じてしまう。
【００１８】
また、固定手段を有する従来の一般的な像振れ防止装置では、レリーズ半押しの度に固定手段を解除する制御となっているため、ある程度の間隔でレリーズ半押しを繰り返す撮影状況では固定手段の解除・固定の制御を繰り返すこととなり、特にこの場合には固定手段を解除してから撮影可能となるまでの時間におけるタイムラグの影響が大きい。
【００１９】
さらに、特許文献１に記載の像振れ防止装置も含めて、光学式手ブレ補正機構では固定手段の有無によらず、スリープ解除後に一定時間中心保持制御を行う必要があり、このことも撮影可能となるまでの時間を長くしてしまう原因となる。
スリープ解除後の中心保持制御は、固定手段を有する光学式手ブレ補正機構において、固定手段の解除時に補正光学系が重力方向へ落下してしまい、レリーズ半押しの度に、撮影者が違和感のある映像をファインダ越しに観察してしまうことを防止するために必要である。
【００２０】
さらに、中心保持制御開始後においても、手ブレ補正効果が安定するまで、一定時間待機しなければならず、この時間も撮影可能となるまでの時間を長くする原因となる。
この待機時間を無視して撮影すると、ブレを検知するジャイロセンサからの信号が安定しないまま撮影することとなり、十分な手ブレ補正効果のある写真の撮影が期待できない。
【００２１】
上述の通り、固定手段の解除制御や中心保持制御のため、手ブレ補正効果の十分ある写真を撮影するには、レリーズ半押しから撮影開始までにある程度のタイムラグが必要である。
このタイムラグを無視してレリーズ半押し後にすぐ撮影可能とすると、特に撮影者がレリーズボタンを一気に押下して撮影しようとした場合に、手ブレ補正効果が十分な写真を撮影することができない。
【００２２】
例えば、固定手段が解除完了に至らないまま撮影可能としてしまうと、補正光学系が中心保持されたまま撮影することとなり、手ブレ補正効果が全く得られないブレのある失敗写真が撮影されてしまう。
また、固定手段の解除が完了したとしても、中心保持制御開始から一定時間待機せず、手ブレ補正効果が安定しない状態で撮影してしまうと、手ブレ補正効果が十分に発揮されていないブレのある失敗写真が撮影されてしまう。
【００２３】
ところで、手ブレ補正機構に固定手段を設けることは、光学式手ブレ補正機構の周辺技術であり、固定手段を有さない手ブレ補正機構も従来存在している。
固定手段は特許文献１が指摘する課題を解決することを目的としているが、固定手段を有さなくとも可動端の破損を防止することは可能である。
【００２４】
光学式手ブレ補正機構の補正光学系を含む可動部材は、撮像素子シフト式手ブレ補正機構の撮像素子を含む可動部材と比べれば軽量である。また、光学式手ブレ補正機構はレンズ光学系ごとに設計されることが通常であるため、可動端の限界範囲等はレンズ光学系ごとに最適に設計することが可能である。
【００２５】
したがって、耐久性を満足する材料を用いて可動端の壁面を設計したり、可動端の限界範囲を大きすぎず最適に設計したりする等の対策をとることで、光学式手ブレ補正機構においては固定手段を設けなくとも可動端の破損を防止することが可能である。
【００２６】
すなわち、光学式手ブレ補正機構においては、固定手段を排除することにより、固定手段の機構そのものばかりでなく、固定手段を制御するための駆動手段、固定手段を設置するためのスペースを省略することが可能となる。
さらに、固定手段の排除により、レリーズ半押しの度に固定手段を解除・固定するための電力をセーブすることができ、また、固定手段を制御するためのタイムロスも短縮することができる。
【００２７】
固定手段を有さない光学式手ブレ補正機構では、固定手段を制御するためのタイムラグを短縮することは可能であるが、依然として固定手段を有する手ブレ補正機構と同様に、レリーズ半押しから撮影可能となるまでに一定時間のタイムラグが残存する。
【００２８】
タイムラグの原因として、固定手段を有さない手ブレ補正機構であっても、レリーズ半押し後の中心保持制御の必要性がある。
固定手段を有さない手ブレ補正機構における中心保持制御は、固定手段を有する手ブレ補正機構における中心保持制御よりもさらに重要である。
【００２９】
固定手段を有さない手ブレ補正機構における補正光学系を含む可動部材は、非制御時に固定手段等により固定されていないため、レリーズ半押し直後までは可動端でレンズ鏡筒の重力方向に位置する壁面に接している。
【００３０】
したがって、可動端壁面に接した状態の補正光学系を含む可動部材に対して手ブレ補正制御を行おうとする場合、可動部材は可動端よりもさらに外側に駆動され、手ブレ補正開始時の挙動が不安定となるおそれがある。
また、不安定な状態で手ブレ補正が開始されることで、手ブレ補正には関係のない無駄な電力が消費されてしまうおそれがある。
【００３１】
これに対して、レリーズ半押し後、手ブレ補正制御を開始する前に可動部材を、中心保持制御によって可動端から一度離すことにより、上記問題を解決することができる。
これにより、固定手段を有さない手ブレ補正機構においても、手ブレ補正制御開始時に一度、中心保持制御を実行することによるタイムラグが発生することとなる。
【００３２】
中心保持制御を実行し、手ブレ補正制御を開始した後は、固定手段の有無にかかわらず可動部材の状態が同じとなり、固定手段を有さない手ブレ補正機構においても、固定手段を有する手ブレ補正機構と同様に、手ブレ補正効果が安定するための待機時間が必要である。
【００３３】
上記理由のため、手ブレ補正効果のある写真を撮影するには、固定手段を有さない手ブレ補正機構においても、固定手段を有する手ブレ補正機構と同様に、レリーズ半押しから撮影開始までのタイムラグは依然として残存する。
【００３４】
また、このタイムラグを無視してレリーズ半押し後にすぐ撮影可能とすると、特に撮影者がレリーズボタンを一気に押下して撮影しようとした場合に、固定手段を有する手ブレ補正機構よりもさらに手ブレ補正効果の十分でない写真が撮影される可能性が高い。
【００３５】
固定手段を有さない手ブレ補正ユニットでは、レリーズ半押し直後において、補正光学系を含む可動部材がレンズ鏡筒内で重力方向の可動端に接しているため、レリーズ半押し後の中心保持制御が完了する前に撮影すると、手ブレの影響に加えて、補正光学系の光軸が大きく重力方向へずれた失敗写真が撮影されてしまうおそれがある。また、固定手段を有さない手ブレ補正機構と同様に、手ブレ補正効果が安定しない状態で撮影がされてしまうと、手ブレ補正効果が十分に発揮されていない失敗写真が撮影されてしまう。
【００３６】
本発明は、光学式手ブレ補正機構を採用し、レリーズ半押しから手ブレ補正効果が安定した撮影が可能となるまでのタイムラグを短縮できる、カメラシステム、そのカメラシステムを構成するカメラボディ及び交換レンズ及び手ブレ補正ユニットの提供を目的とする。
【課題を解決するための手段】
【００３７】
上記課題を解決するために、本発明のカメラシステムは、カメラボディに対して交換レンズが装着可能であり、前記カメラボディと前記交換レンズとの間で通信を行うカメラシステムにおいて、前記カメラボディは交換レンズへ、手ブレ補正制御開始を命令するための補正開始信号を送信し、手ブレ補正制御終了を命令するための補正終了信号を送信し、前記交換レンズは、レンズ光学系の一部のレンズ又はレンズ群を補正光学系とし、撮影者等による前記カメラシステムのブレ量及び前記補正光学系の現在位置を検知し、前記補正光学系は、無通電にて重力方向の壁面に接しており、前記補正光学系を含みマグネット若しくはコイルが設置される可動部材は、駆動部のコイルに電流が供給されることで発生する電磁力により駆動され、前記ブレ量から演算された前記補正光学系の目標位置と前記補正光学系の現在位置との差分をキャンセルさせるように前記補正光学系を光軸と垂直な平面内で移動させることで、手ブレ補正制御を行う光学式手ブレ補正機構を有し、前記カメラボディは、前記カメラボディの電源ボタンが操作された後であって、前記カメラボディが交換レンズへ前記補正開始信号を送信する前に、前記交換レンズへ中心保持信号を送信し、前記交換レンズは、前記中心保持信号を前記カメラボディより受信した後、前記補正光学系の光軸と前記レンズ光学系の光軸とが一致するように中心保持制御を開始する、ことを特徴とする。
【００３９】
また、本発明のカメラボディは、上記のカメラシステムを構成するカメラボディであって、前記カメラボディの電源ボタンが操作された後、中心保持信号を交換レンズへ送信し、さらに、撮影者により前記カメラボディのレリーズボタンがレリーズ半押し状態にされた後、交換レンズへ手ブレ補正制御開始を命令するための補正開始信号を送信し、さらに、撮影者により前記カメラボディのレリーズボタンがレリーズ全押し状態にされ、一連の撮影動作が完了した後、又は、レリーズボタンがレリーズ全押し状態にされず、所定時間経過した後、前記交換レンズへ手ブレ補正制御終了を命令するための補正終了信号を送信する、ことを特徴とする。
【００４０】
また、本発明の交換レンズは、上記のカメラシステムを構成する交換レンズであって、カメラボディから中心保持信号を受信した後、補正光学系の光軸とレンズ光学系の光軸とが一致するように中心保持制御を開始し、さらに、前記カメラボディから補正開始信号を受信した後、中心保持制御を停止して手ブレ補正制御を開始し、さらに、前記カメラボディから補正終了信号を受信した後、手ブレ補正制御を終了する、ことを特徴とする。
【００４１】
さらに、本発明の交換レンズは、前記カメラボディから補正終了信号を受信し、手ブレ補正制御を終了した後、所定時間が経過するまで、中心保持制御を行うことを特徴とする。
【００４２】
また、本発明の手ブレ補正ユニットは、上記のカメラシステムを構成する交換レンズに内蔵された手ブレ補正ユニットであって、補正光学系と、補正光学系の駆動手段と、ブレ量検知手段と、補正光学系位置検知手段と、を有し、前記交換レンズが、カメラボディから中心保持信号を受信するに従って、前記補正光学系の光軸と前記交換レンズのレンズ光学系の光軸とが一致するように、前記補正光学系の駆動手段を駆動し、前記交換レンズが、前記カメラボディから補正開始信号を受信するに従って、前記ブレ量検知手段により検知された撮影者等による前記カメラシステムのブレ量と前記補正光学系位置検知手段により検知された前記補正光学系の現在位置を演算し、前記ブレ量から演算された前記補正光学系の目標位置と前記補正光学系の現在位置との差分をキャンセルさせるように、前記補正光学系の駆動手段により前記補正光学系を光軸に垂直な平面内で駆動させることを特徴とする。
【００４３】
上記の通り、本発明のカメラシステムでは、カメラボディから交換レンズへの通信において、専用信号として中心保持信号を設けた。
本発明では、カメラボディは、電源ボタンが操作された際に、即座に中心保持信号を交換レンズへ送信することとし、レリーズ半押しから手ブレ補正効果の十分な画像が撮影できるまでの時間を短縮することができる。
すなわち、本発明において、交換レンズは、カメラボディの電源ボタンが操作されることに従って、中心保持制御を開始できることとした。
【発明の効果】
【００４４】
本発明により、補正光学系を含む可動部材を、電源オフ時に光軸中心に固定するための固定手段を有さない手ブレ補正機構を採用した場合であっても、レリーズ半押しから手ブレ補正効果が安定した撮影が可能となるまでのタイムラグの短縮が可能な、カメラシステム、そのカメラシステムを構成するカメラボディ及び交換レンズ、及び交換レンズに内蔵される手ブレ補正ユニットを提供することができる。
また、本発明のカメラシステムにおいて、カメラボディは、カメラボディの電源ボタンが操作されることにより、交換レンズの手ブレ補正ユニットに対して中心保持制御を開始させることが可能である。
【図面の簡単な説明】
【００４５】
【図１】本発明のカメラシステムの実施例に係るシステムブロック図
【図２】本発明のカメラボディの実施例に係る制御フローチャート
【図３】本発明の交換レンズの実施例に係る制御フローチャート
【図４】本発明の手ブレ補正制御部の実施例に係る機構断面図
【発明を実施するための形態】
【００４６】
以下、図面を用いて本発明に係る実施例について詳細に説明する。
【００４７】
本発明の実施例に係るカメラシステムは、カメラボディに対してレンズ交換可能なレンズ交換式カメラシステムとする。また、本発明の実施例に係る手ブレ補正機構のシステムは、光学式手ブレ補正機構を採用している。
【００４８】
本発明のカメラシステムについて、図１を用いて説明する。
【００４９】
図１は、本発明に係る実施例のカメラシステム全体を示すシステムブロック図である。１００はカメラボディ、２００は交換レンズを示している。
【００５０】
カメラボディ１００の構成について説明する。
【００５１】
カメラボディ１００において、１０１はバッテリ、１０２は電源装置を示している。バッテリ１０１からは、電源装置１０２を介してカメラボディ１００や交換レンズ２００の制御系等に電力が供給されている。また、バッテリ１０１からは、カメラボディ１００や交換レンズ２００の駆動系等に電力が供給されている。カメラボディ１００から交換レンズ２００への電力供給は後述するマウントに設けられた接続端子を介して行われる。
【００５２】
１０３は撮像装置を示している。撮像装置１０３には撮像素子やシャッタ等が含まれ、一眼レフカメラの場合にはクイックリターンミラー等が含まれる。
【００５３】
１０４はカメラ制御部を示している。カメラ制御部１０４は、電源装置１０２から電力供給を受け、カメラボディ１００の各種駆動系を制御したり、後述するレンズ制御部との通信を行ったりする。
【００５４】
また、カメラ制御部１０４は各種センサからの信号を処理して各種駆動系を制御している。
【００５５】
１０５はＡＦセンサ、１０６はＡＥセンサを示している。カメラ制御部１０４は、ＡＦセンサ１０５により得られた信号値を演算して測距を行い、レンズ制御部へ送信し、交換レンズ２００にＡＦ動作を行わせる。また、カメラ制御部１０４は、ＡＥセンサ１０６により得られた信号値を演算して測光を行い、撮像装置１０３の露光量を決定し、レンズ制御部により交換レンズ２００の絞り制御を行わせる。
【００５６】
１０７はカメラボディ１００の操作系を示している。カメラ制御部１０４には、操作系１０７からの命令が入力される。カメラ制御部１０４は、これに従って制御や通信を行う。操作系には、カメラボディ１００の電源を入切する電源ボタンや、撮影方法を設定する露出モードダイヤルや、ＡＦ動作や撮影を指示するためのレリーズボタンや、その他メニューボタン等を含む。
【００５７】
操作系１０７のうち、特にレリーズボタンは２段階で押下する機構となっており、１段階押下した状態をレリーズ半押しとし、２段階押下した状態をレリーズ全押しとする。また、レリーズ半押しの際、カメラボディ１００は、交換レンズ２００に対してＡＦ動作を指示するとともに、交換レンズ２００が手ブレ補正機構を有している場合は、手ブレ補正動作を開始するように指示する。さらに、レリーズ全押し状態となることで、カメラボディ１００は撮影動作を開始する。
【００５８】
１０８は画像処理部、１０９は記憶装置、１１０は表示装置を示している。カメラ制御部１０４の指示で撮影装置１０３により取得された画像信号は、画像処理部１０８に送られ、一連の画像処理が施された後、記憶装置１０９に格納される。撮影後の画像やカメラボディ１００等の設定情報は表示装置１１０に表示される。
【００５９】
カメラボディ１００と交換レンズ２００との物理的な接続はマウント３００を介して行われる。また、カメラボディ１００と交換レンズ２００との電気的な接続はマウント３００に設けられた接点端子群を介して行われる。
【００６０】
本実施例のカメラボディ１００側の３００の接点端子群には、制御用電源端子Ｃ＿ＶＤＤ、クロック信号端子Ｃ＿ＣＬＫ、コマンド信号端子Ｃ＿ＣＭＤ、アンサ信号端子Ｃ＿ＡＮＳ、モータ用電源端子Ｃ＿ＭＰ、グランド端子Ｃ＿ＧＮＤが含まれる。
【００６１】
制御用電源端子Ｃ＿ＶＤＤからは交換レンズ２００のレンズ制御部に対して電力が供給され、モータ用電源端子Ｃ＿ＭＰからは交換レンズ２００の各種駆動系に対して電力が供給される。
コマンド信号端子Ｃ＿ＣＭＤからはカメラボディ１００が交換レンズ２００に対してレンズデータを求めるコマンド信号ＣＭＤが出力され、アンサ信号端子Ｃ＿ＡＮＳへはレンズデータ等のアンサ信号ＡＮＳが入力される。
【００６２】
次に交換レンズ２００の構成について説明する。交換レンズ２００には、不図示のレンズ光学系が含まれる。
【００６３】
交換レンズ２００において、２０１はレンズ制御部を示している。レンズ制御部２０１は、カメラボディ１００から電力供給を受け、カメラ制御部１０４と通信を行ったり、交換レンズ２００内の各種駆動系を制御したりする。
２０２はエンコーダを示している。エンコーダ２０２からの信号値により、レンズ制御部２０１は、現在の被写体距離を検知し、さらに交換レンズ２００がズームレンズの場合には、現在の焦点距離を検知する。
【００６４】
交換レンズ２００内の各種駆動系として、次の駆動系があげられる。
【００６５】
２０３は絞り、２０４は絞り駆動部を示す。絞り２０３は、レンズ制御部２０１からの命令を受けた絞り駆動部２０４により駆動される。また、絞り駆動部２０４には、カメラボディ２００から電力が供給される。
２０５はＡＦレンズ群、２０６はＡＦ駆動部を示す。ＡＦレンズ群２０５は、レンズ光学系の一部であり、レンズ制御部２０１から命令を受けたＡＦ駆動部２０６により駆動される。また、ＡＦ駆動部２０６には、カメラボディ１００からの電力が供給される。
【００６６】
さらに、交換レンズ２００内の駆動系として、手ブレ補正動作を行うための手ブレ補正制御部２０７について説明する。
【００６７】
手ブレ補正制御部２０７は、次の構成要素からなる。
【００６８】
２０８は手ブレ補正スイッチを示している。手ブレ補正スイッチ２０８の入切により、交換レンズ２００の手ブレ補正制御を許可するか否かについて決定する。
【００６９】
２０９は交換レンズ２００における手ブレ補正ユニットを示している。手ブレ補正ユニット２０９には、補正光学系２１０、ＶＣＭ駆動部２１１、主にマグネットとコイルからなるＶＣＭ（ボイスコイルモータ）２１２、角速度センサ（ジャイロセンサ）２１３、補正光学系位置検知装置（ホール素子）２１４が含まれる。
ＶＣＭ２１２は補正光学系２１０の駆動手段であり、角速度センサ２１３はブレ量検知手段、補正光学系位置検知装置は補正光学系位置検知手段である。
【００７０】
本実施例の光学式手ブレ補正機構では、交換レンズ２００のレンズ光学系における一部のレンズ若しくはレンズ群を補正光学系２１０として、光軸と垂直な平面内で移動させることにより、結像位置をシフトさせ、撮影者の手ブレ等による結像位置の変位を補正することが可能である。
すなわち、補正光学系２１０は、交換レンズ２００内で可動であり、特に補正光学系２１０を含む交換レンズ２００内の部材を可動部材と呼ぶ。これに対して可動でない部材をまとめて固定部材と呼ぶ。
【００７１】
補正光学系２１０を含む可動部材は、ＶＣＭ駆動部２１１とＶＣＭ２１２により駆動される。
ＶＣＭ２１２は、補正光学系２１０を光軸に垂直な平面内で駆動させるための駆動手段であり、主に手ブレ補正ユニットの可動部材側若しくは固定部材側に設置されたマグネットとその反対側に設置されたコイルとから構成される。そして、コイルに供給された電流によりコイルとマグネットとの間に電磁力が発生することで、マグネット若しくはコイルが設置された可動部材が駆動され、可動部材に含まれる補正光学系２１０は光軸に垂直な平面内で移動される。
【００７２】
角速度センサ２１３はジャイロセンサ等からなり、撮影者の手ブレ等による交換レンズ２００の角度ブレを検出して、レンズ制御部２０１に知らせる。また、補正光学系位置検知装置２１４はホール素子等からなり、補正光学系２１０を含む可動部材の現在位置を検知して、レンズ制御部２０１に知らせる。
【００７３】
そして、レンズ制御部２０１は、角速度センサ（ジャイロセンサ）２１３から得られた交換レンズ２００の角度ブレの情報と、補正光学系位置検知装置２１４から得られた可動部材の現在位置の情報との差分を演算して、この差分が無くなるようにＶＣＭ２１２の駆動量を決定する。
【００７４】
図４は、手ブレ補正ユニット２０９の機構を示す断面図である。部材を示す番号は、すでに上述した各部材の番号と同じである。
【００７５】
図４において、２１０は補正光学系、２１５はレンズ枠、２１６はマグネット、２１７はコイル、２１４はホール素子（補正光学系位置検知装置）、２１８は球状転動体、２１９はヨークを示し、補正光学系２１０を含むこれら部材群を可動部材とする。
【００７６】
球状転動体２１８により、可動部材が、固定部材に対して光軸に垂直な平面内でなめらかに移動することを可能としている。また、ホール素子（補正光学系位置検知装置）２１４はマグネット２１６からの磁気の変化を電気信号に変換し、可動部材の現在位置を検知する。
【００７７】
レンズ制御部２０１は、ホール素子（補正光学系位置検知装置）２１４からの可動部材の現在位置情報と角速度センサ（ジャイロセンサ）２１３からの角度ブレ情報との差分を演算し、これに基づいてコイル２１７に供給する電流量を制御し、マグネット２１６とコイル２１７との関係で発生した電磁力により可動部材を駆動制御する。
【００７８】
本実施例における手ブレ補正ユニットの機構は、カメラボディ１００の電源がオフの時、すなわち交換レンズ２００に対して電力が供給されない時に、補正光学系２１０が、レンズ光学系と光軸を一致させて物理的に固定保持される固定手段を有さない機構として説明する。
【００７９】
固定手段を必ずしも設けなくとも、可動部材に対する可動端壁面の耐久性を確保できる設計を行えば、破壊のおそれがない手ブレ補正ユニットを成立させることは可能である。
【００８０】
固定手段を有さない手ブレ補正ユニットのメリットとして、固定手段の機構に必要とする多くの部材を要せず、手ブレ補正ユニットのコスト、ひいては交換レンズ全体のコストを抑えられることがあげられる。
さらに、固定手段をＡＦ動作の度に解除駆動・固定駆動させることを要せず、消費電力を抑えることができる。
さらに、固定手段を狭い手ブレ補正ユニット内に設置することを要せず、省スペース化が可能である。
さらに、手ブレ補正制御開始のための固定手段解除駆動の時間を要せず、固定手段を有する手ブレ補正ユニットよりも、レリーズ半押しから手ブレ補正効果のある写真が撮影可能となるまでの時間を短縮することが可能である。
【００８１】
図１において、３００はマウントを示し、前述した通り、交換レンズ２００がカメラボディ１００と物理的に接続するための接続部である。また、マウント３００には、同様に交換レンズ２００とカメラボディ１００が電気的に接続するための接点端子群が設けられている。
【００８２】
接点端子群として、交換レンズ２００においても、前述したカメラボディ１００のマウント３００に設けられた各接点端子に対応する、制御用電源端子Ｌ＿ＶＤＤ、クロック信号端子Ｌ＿ＣＬＫ、コマンド信号端子Ｌ＿ＣＭＤ、アンサ信号端子Ｌ＿ＡＮＳ、モータ用電源端子Ｌ＿ＭＰ、グランド端子Ｌ＿ＧＮＤが設けられている。
【００８３】
次にフローチャートを用いて、本発明の実施例に係るカメラシステムの制御について説明する。
【００８４】
本発明では、カメラボディから交換レンズへの通信において、カメラボディが交換レンズに対して中心保持制御の開始を指示するための専用信号である中心保持信号を新たに設けた。
交換レンズは、カメラボディから中心保持信号を受信すると、手ブレ補正ユニット内の補正光学系の中心保持制御を開始する。
【００８５】
従来、補正光学系の中心保持制御の開始のタイミングは、交換レンズに予め組み込まれたプログラムによって、カメラボディの制御とは独立に制御されていた。
そのため、撮影者のカメラボディにおける操作系の操作に従属させて、補正光学系を中心保持制御することができなかった。
【００８６】
本発明では、カメラボディから交換レンズへの通信における専用信号として、中心保持信号を新たに設けることにより、撮影者によるカメラボディの操作に従って、交換レンズ内の手ブレ補正ユニットの補正光学系を中心保持制御でき、カメラボディのスリープ解除時に補正光学系の中心保持制御を即座に開始させることが可能となる。
つまり、交換レンズ内の手ブレ補正ユニットの補正光学系を、カメラボディのレリーズ半押しよりも前に中心保持制御させることができ、従来のレリーズ半押し後に中心保持制御を開始するカメラシステムよりも、レリーズ半押しから手ブレ補正効果のある写真が撮影可能となるまでの時間を短縮することができる。
【００８７】
図２を用いて、本実施例に係るカメラボディ１００の制御フローについて説明する。
【００８８】
まず、撮影者がカメラボディ１００の電源ボタンをオン状態にすることにより（Ｓ１０１）、カメラボディ１００のスリープが解除される（Ｓ１０２）。
カメラボディ１００のスリープ解除は、カメラボディ１００の主電源である電源ボタンがオン状態にスイッチされた場合だけではなく、オートパワーオフでスリープしたカメラボディ１００の操作系１０７が、撮影者により操作された場合にも実行される（Ｓ１０３）。
【００８９】
カメラボディ１００は、スリープが解除されると、交換レンズ２００との通信を始める。
まず、カメラボディ１００は交換レンズ２００に対して、交換レンズ２００の設定状態等に関するレンズデータを要求するため、コマンド信号ＣＭＤを送信する（Ｓ１０４）。
【００９０】
交換レンズ２００は、カメラボディ１００からコマンド信号ＣＭＤを受信すると、これに対応するレンズデータを準備し、カメラボディ１００へ返答する。
そして、カメラボディ１００は交換レンズ２００から送信されたレンズデータを受信する（Ｓ１０５）。
レンズデータには、交換レンズ２００の手ブレ補正スイッチ２０８の入切の情報や焦点距離、絞り等の撮影に必要な情報が含まれる。
【００９１】
カメラボディ１００と交換レンズ２００との間で通信が完了すると、カメラボディ１００は交換レンズ２００に対して中心保持信号ＯＳｃを送信する（Ｓ１０６）。
中心保持信号ＯＳｃは、カメラボディ１００が交換レンズ２００に対して中心保持制御を開始するように命令するための専用信号である。
中心保持制御とは、交換レンズ２００が、補正光学系２１０を、手ブレ補正ユニット２０９内で補正光学系２１０の光軸とレンズ光学系の光軸とが一致するように維持する制御をいう。
【００９２】
カメラボディ１００は、中心保持信号ＯＳｃを交換レンズ２００へ送信した後、１０秒間の間、レリーズボタンが半押しされるかどうか監視する（Ｓ１０７、Ｓ１０８）。
【００９３】
Ｓ１０７での１０秒間は、カメラボディ１００が何も操作されずにオートパワーオフするまでの時間を意味している。カメラボディ１００がオートパワーオフするまでの時間は、撮影者がカメラのメニュー設定において任意に変更することが可能である。また、オートパワーオフしないように設定することも可能である。すなわち、Ｓ１０７での１０秒間はユーザによって任意に変更可能な設定時間である。
【００９４】
Ｓ１０７において、１０秒間監視してもカメラボディ１００のレリーズボタンが半押しされないと判断された場合には、カメラボディ１００はオートパワーオフを実行してスリープ状態となる（Ｓ１０９）。カメラボディ１００は、スリープ状態になると、交換レンズ２００とは無通信状態となる。
【００９５】
カメラボディ１００が、オートパワーオフする前にレリーズ半押しありと判断した場合には、カメラボディ１００は交換レンズ２００に対して補正開始信号ＯＳｓを送信する（Ｓ１１０）。
補正開始信号ＯＳｓは、カメラボディ１００が交換レンズ２００に対して、手ブレ補正ユニット２０９の手ブレ補正制御を開始させるための命令信号である。これにより、手ブレ補正ユニット２０９は、撮影者の手ブレ等によるレンズ光学系の結像位置の変位をキャンセルさせるため、補正光学系２１０を含む可動部材の駆動を開始する。
【００９６】
カメラボディ１００は、交換レンズ２００に補正開始信号ＯＳｓを送信した後、６秒間経ったかどうか監視するためタイマーを開始する（Ｓ１１１）。ここでの６秒間は、カメラボディ１００に対してレリーズ全押しの操作がされなかった場合において、カメラボディ１００が交換レンズ２００に対して命令する手ブレ補正開始から手ブレ補正終了までの最大時間を意味している。
カメラボディ１００は、交換レンズ２００の手ブレ補正制御を許可するか禁止するかを命令している。交換レンズ２００に対して無制限に手ブレ補正制御を許可すると、カメラボディ１００自体の電力を浪費してしまうため、交換レンズ２００が手ブレ補正制御できる最大時間を制限している。
【００９７】
補正開始信号ＯＳｓを送信した後、６秒間経たない間は、カメラボディ１００はレリーズボタンが全押しになったかどうかを監視する（００１２）。
【００９８】
カメラボディ１００は、補正開始信号ＯＳｓを送信した後、レリーズ全押しとならずに６秒間経過したと判断された場合には、交換レンズ２００に対して補正終了信号ＯＳｅを送信し、スリープ状態となる（Ｓ１１３、Ｓ１１４）。カメラボディ１００は、スリープ状態になると、交換レンズ２００と無通信状態となる。
【００９９】
カメラボディ１００は、Ｓ１１２でレリーズ全押しになっていないと判断されると、さらに依然としてレリーズ半押しの状態のままであるかどうかを判断する（Ｓ１１５）。
【０１００】
Ｓ１０８でレリーズ半押しとなった後、レリーズ全押しまで操作されなかった場合であっても依然としてレリーズ半押し状態である可能性がある。例えば、撮影者がレリーズ半押しで一度、交換レンズ２００を合焦動作をさせ、決定した被写体距離を維持したい場合に、レリーズボタンを半押ししたまま維持している可能性がある。また、撮影までしなくとも連続していろいろな被写体に合焦動作を行い、レリーズ半押しを繰り返している可能性がある。
【０１０１】
Ｓ１１５において、レリーズ半押しが維持されていると判断された場合には、再び補正開始信号ＯＳｓを交換レンズ２００へ送信する制御に戻る（Ａ）。また、Ｓ１１５において、レリーズ半押しがされていないと判断された場合には、Ｓ１１１で開始した６秒間のタイマー監視をそのまま続けるため、Ｓ１１１の制御に戻る（Ｂ）。
結局、レリーズ半押し及びレリーズ全押しがないまま６秒間経過した場合には、上述したようにカメラボディ１００は交換レンズ２００に対して補正終了信号ＯＳｅを送信してスリープ状態となる（Ｓ１１３、Ｓ１１４）。
【０１０２】
Ｓ１１１でレリーズ半押しとなった後、６秒間経過の前にレリーズ全押しになった場合、カメラボディ１００は一般的な撮影動作を行う（Ｓ１１６）。撮影動作は、従来の一般的な撮影動作であり、レリーズ全押し後のミラーアップ動作、シャッタ動作、撮像素子による画像信号の取り込み、画像処理、記録等の一連の動作が含まれる。なお、撮影動作については、本発明の大きな特徴ではないため詳細な説明を省略する。
【０１０３】
Ｓ１１６において撮影動作が終了した後、カメラボディ１００は交換レンズ２００に対して直ちに補正終了信号ＯＳｅを送信する（Ｓ１１７）。補正終了信号ＯＳｅは、カメラボディ１００が交換レンズ２００に対して、手ブレ補正ユニット２０９の手ブレ補正制御を終了させるための命令信号である。これにより、手ブレ補正ユニット２０９は、撮影者の手ブレ等によるレンズ光学系の結像位置の変位をキャンセルさせるための手ブレ補正制御を終了する。
【０１０４】
ここで、交換レンズ２００は、カメラボディ１００から補正終了信号ＯＳｅを受信し、手ブレ補正動作を停止した後、しばらくは中心保持制御を継続する。交換レンズ２００が、中心保持制御を続ける理由は、撮影動作後に連続してカメラボディ１００のレリーズボタンが操作された場合に備えて待機するためであるが、詳しくは後述する。
【０１０５】
カメラボディ１００は、補正終了信号ＯＳｅの送信後、撮影者によりレリーズ半押し状態にならないかどうかしばらく監視する（Ｓ１１８、Ｓ１１９）。本実施例における監視時間は１０秒間である（Ｓ１１９）。
【０１０６】
この１０秒間は、前述したカメラボディ１００がオートパワーオフするまでの時間と同じである。１０秒間監視してもレリーズ半押し状態にならない場合には、カメラボディ１００はオートパワーオフしてスリープ状態となる（Ｓ１２０）。
【０１０７】
カメラボディ１００は、オートパワーオフするまでに撮影者によるレリーズ半押しの操作があれば、すぐに補正開始信号ＯＳｓを交換レンズ２００へ送信する制御に戻る（Ａ）。したがって、交換レンズ２００は撮影後の中心保持制御から手ブレ補正動作を再開することとなる。
【０１０８】
次に、図３を用いて、交換レンズ２００の制御フローについて説明する。
【０１０９】
まず、交換レンズ２００は、カメラボディ１００がスリープから復帰したことに連動して、スリープが解除される（Ｓ２０１）。交換レンズ２００は、カメラボディ１００から電力が供給されるため、カメラボディ１００の電源がオンになるとレンズ制御部２０１が起動してスリープが解除される。
【０１１０】
交換レンズ２００は、スリープから復帰すると、まず、カメラボディ１００が交換レンズ２００との通信を開始するために送信したコマンド信号ＣＭＤを受信する（Ｓ２０２）。そして、交換レンズ２００は受信したコマンド信号ＣＭＤごとに対応するレンズデータを用意し、カメラボディ１００へ逐次返答する（Ｓ２０３）。
【０１１１】
さらに、カメラボディ１００は、交換レンズ２００からレンズデータの受信を完了すると、交換レンズ２００に対して補正光学系２１０を中心保持制御させるための中心保持信号ＯＳｃを送信し、交換レンズ２００はこれを受信する（Ｓ２０４）。交換レンズ２００は、中心保持信号ＯＳｃを受信すると、カメラボディ１００から命令された通り、手ブレ補正ユニット２０９の補正光学系２１０をレンズ光学系と光軸を同じに維持するよう制御する、中心保持制御を開始する（Ｓ２０５）。
【０１１２】
本発明では、上記のように、カメラボディ１００から交換レンズ２００へ中心保持制御を命令するための専用信号として、中心保持信号ＯＳｃを設けた。交換レンズ２００は、交換レンズ２００内に予め組み込まれた定型の制御フローではなく、カメラボディ１００の命令、すなわち中心保持信号ＯＳｃに従って、中心保持制御を開始することができる。
【０１１３】
交換レンズ２００は、カメラボディ２００から中心保持信号ＯＳｃを受信し、中心保持制御を開始した後、しばらくの間、カメラボディ１００から補正開始信号ＯＳｓが送信されるかどうか監視する（Ｓ２０６）。
【０１１４】
本実施例における、交換レンズ２００の補正開始信号ＯＳｓを監視する時間は１０秒間とする。交換レンズ２００は、カメラボディ１００から中心保持信号ＯＳｃを受信した後１０秒間、補正開始信号ＯＳｓを受信しなかった場合には、中心保持制御を終了する制御に移行する（Ｓ２０７）。
【０１１５】
ここで、監視する時間である１０秒間は、カメラボディ１００が全く操作されないままオートパワーオフされスリープ状態となる時間を想定している。カメラボディ１００から１０秒間、補正開始信号ＯＳｓが送信されない場合は、カメラボディ１００が既にスリープ状態になった可能性が高いので、交換レンズ２００も中心保持制御を終了して、スリープ状態へ向かう準備に移行する。
【０１１６】
交換レンズ２００は、Ｓ２０６で、補正開始信号ＯＳｓを受信した場合には、カメラボディ１００に命令された通り、手ブレ補正制御を開始する（Ｓ２０８）。
【０１１７】
交換レンズ２００は、手ブレ補正制御を開始すると、まず、角速度センサ２１３によりブレ量を検知し、また、補正光学系位置検知装置２１４により補正光学系２１０の現在位置を検知する。次に、レンズ制御部２０１は、手ブレによるブレ量を補正するための目標位置と補正光学系２１０の現在位置との差分を演算し、この差分が０になるように補正光学系２１０を含む可動部材を駆動制御する。
【０１１８】
可動部材を駆動させる手段はＶＣＭ２１２であり、ＶＣＭ２１２のコイルに供給する電流量及びその向きを制御することにより、補正光学系２１０を光軸に垂直な平面上で駆動させる。ブレ量を補正するための目標位置と補正光学系２１０の現在位置との差分が０になるように補正光学系２１０を駆動させることで、撮影者の手ブレ等による結像位置の変位をキャンセルすることができ、手ブレによる影響のない画像を撮影することができる。
【０１１９】
交換レンズ２００は、手ブレ補正制御が開始された後、カメラボディ１００から補正終了信号ＯＳｅを受信するまで手ブレ補正制御を継続する（Ｓ２０９）。カメラボディ１００が交換レンズ２００に対して補正終了信号ＯＳｅを送信する場合としては、カメラボディ１００での撮影動作が完了した場合や、カメラボディ１００が交換レンズ２００に対して補正開始の命令をしたものの、レリーズ全押しとはならずにスリープする場合等が挙げられる。
【０１２０】
交換レンズ２００は、補正終了信号ＯＳｅを受信した後、手ブレ補正制御を終了する（Ｓ２１０）。
【０１２１】
交換レンズ２００は、Ｓ２１０で手ブレ補正制御を終了した直後、レンズ制御部２０１の制御により６０秒間の中心保持制御ＯＳｃを開始する（Ｓ２１１）。Ｓ２１１で開始される中心保持制御は、Ｓ２０５におけるカメラボディ１００主体の中心保持制御とは異なり、レンズ制御部２０１が主体となるものである。すなわち、レンズ制御部２０１には手ブレ補正制御終了後、所定時間、中心保持制御を実行するように組み込まれている。本実施例では、この中心保持制御を実行する所定時間を６０秒間と設定した。
【０１２２】
Ｓ２１１における中心保持制御は、手ブレ補正制御終了後に撮影者がファインダ内を観察する場合の見えを良くし、連続する次の撮影に備えるためである。
【０１２３】
交換レンズ２００において、手ブレ補正制御を単に終了するだけの制御とすると、撮影動作直後に補正光学系２１０が手ブレ補正ユニット２０９内で重力方向へ落下してしまう。これにより、継続撮影を行いたい撮影者に対して、補正光学系２１０が重力方向へ即座に落下してしまうことによる急激な像の変化をファインダ内で観察させることとなってしまう。
【０１２４】
また、連続して撮影を行うため、撮影後にレリーズ半押しすることを繰り返す撮影者にとっては、補正光学系２１０が重力方向へ落下したり、中心保持制御されたりすることを繰り返すため、非常に落ち着かない不快な像をファインダ内で観察させられることとなってしまう。
【０１２５】
また、カメラボディ１００は何も操作されない場合、所定時間経過後にオートパワーオフを実行し、スリープ状態になるが、例えば光学ファインダを有するカメラボディ１００において、撮影者がカメラボディ２１０のスリープ後であっても光学ファインダを通して被写体を観察し続けたい場合に備えて、補正制御終了後にある程度中心保持制御を継続しておく必要がある。
【０１２６】
したがって、手ブレ補正終了後は、単に手ブレ補正制御を終了するだけではなく、直後に所定時間、中心保持制御を実行し、連続する次の撮影操作のために備えることとしている。
【０１２７】
交換レンズ２００は、Ｓ２１１で所定時間、中心保持制御を実行するのと同時に、カメラボディ１００から継続して、レリーズ半押しによる補正開始信号ＯＳｓが再び送信されないかどうか監視する（Ｓ２１２、Ｓ２１３）。交換レンズ２００は、補正開始信号ＯＳｓを受信した場合には、Ｓ２０８に戻り手ブレ補正制御を開始する。
【０１２８】
Ｓ２１２でカメラボディ１００から交換レンズ２００に対して補正開始信号ＯＳｓが送信される場合としては、カメラボディ１００がオートパワーオフする前に再びレリーズ半押しの操作がされた場合が想定される。
本実施例では、６０秒間、補正開始信号ＯＳｓがカメラボディ１００から交換レンズ２００へ送信されないかどうか監視している。この間に補正開始信号ＯＳｓが送信されないということは、カメラボディ１００は既に１０秒間、何も操作されないままオートパワーオフされスリープ状態にあるということが想定されるので、６０秒間はカメラボディ１００がスリープ状態にあるかどうかを判断するのに十分な時間である。
【０１２９】
Ｓ２１２及びＳ２１３で、６０秒間経過してもカメラボディ１００から補正開始信号ＯＳｓが送信されないと判断された場合には、交換レンズ２００のレンズ制御部２０１は中心保持制御を終了する（Ｓ２１４）。
【０１３０】
中心保持制御を終了した後、所定時間、コマンド信号ＣＭＤがカメラボディ１００から送信されていないかどうか監視する（Ｓ２１５、Ｓ２１６）。本実施例におけるＳ２１６の６０秒間は、レンズ制御部２０１で設定されており、交換レンズ２００がスリープ状態に移行してもよいか確認するための準備期間である。
【０１３１】
カメラボディ１００からコマンド信号ＣＭＤが送信されてくるということは、カメラボディ１００が未だスリープ状態にないということを意味しており、交換レンズ２００はスリープ状態とならずに、カメラボディ１００からの命令に対して、即時応答できるようにスタンバイ状態であることが必要である。
【０１３２】
Ｓ２１６での６０秒間の間に、カメラボディ１００からコマンド信号ＣＭＤが送信された場合には、交換レンズ２００は、カメラボディ１００がまだスリープ状態にないと判断し、受信したコマンド信号ＣＭＤに対応するレンズデータを用意してカメラボディ１００に返答する（Ｓ２１７）。その後、中心保持制御を開始するＳ２０５の制御に戻る（Ｃ）。
【０１３３】
Ｓ２１５及びＳ２１６で６０秒間の間にカメラボディ１００からコマンド信号ＣＭＤが送信されなかった場合には、交換レンズ２００はスリープ状態となる（Ｓ２１８）。
【０１３４】
以上に説明した通り、本発明では、カメラボディから交換レンズへ中心保持制御を開始させるための専用信号として、中心保持制御を設けた。これにより、手ブレ補正ユニットの補正光学系を含む可動部材を固定する固定手段の有無に関わらず、カメラボディの操作状態に従って、交換レンズの中心保持制御を開始することが可能であるため、手ブレ補正効果が十分に安定して撮影可能となるまでの、撮影タイムラグを短縮することができる。
【符号の説明】
【０１３５】
１００  カメラボディ
１０１  バッテリ
１０２  電源装置
１０３  撮像装置
１０４  カメラ制御部
１０５  ＡＦセンサ
１０６  ＡＥセンサ
１０７  操作系
１０８  画像処理部
１０９  記憶装置
１１０  表示装置
２００  交換レンズ
２０１  レンズ制御部
２０２  エンコーダ
２０３  絞り
２０４  絞り駆動部
２０５  ＡＦレンズ群
２０６  ＡＦ駆動部
２０７  手ブレ補正制御部
２０８  手ブレ補正スイッチ
２０９  手ブレ補正ユニット
２１０  補正光学系
２１１  ＶＣＭ駆動部
２１２  ＶＣＭ
２１３  角速度センサ
２１４  補正光学系位置検知装置
２１５  レンズ枠
２１６  マグネット
２１７  コイル
２１８  球状転動体
２１９  ヨーク
３００  マウント
ＣＬＫ  クロック信号
ＣＭＤ  コマンド信号
ＡＮＳ  アンサ信号
ＯＳｃ  中心保持信号
ＯＳｓ  補正開始信号
ＯＳｅ  補正終了信号
【図１】
0005992657.tif 000002
【図２】
0005992657.tif 000003
【図３】
0005992657.tif 000004
【図４】
0005992657.tif 000005